(57)【特許請求の範囲】
【請求項１】
絶縁性のハウジング、および、上記ハウジングに保持され、所定のピッチで左右方向に並ぶ複数の導電性のコンタクトを含むリセプタクルコネクタと、
上記ハウジングに対して着脱可能な被吸着部材とを備え、
上記ハウジングは、上記複数のコンタクトを前後方向に挟む第１および第２側壁と、上記第１側壁に形成されて上記左右方向と交差する方向に延びる凸部または凹部からなるハウジング側係合部とを含み、
上記被吸着部材は、吸着部材により吸着される被吸着面が上面に形成された本体部と、この本体部から下方に延設されて上記第１および第２側壁を上記前後方向に沿って押圧し、上記第１および第２側壁に摩擦係合する一対の押圧部と、上記被吸着部材の所定部に形成された凹部または凸部からなり上記ハウジング側係合部に嵌合する被吸着部材側係合部とを含み、
上記ハウジング側係合部は、上記第１側壁の上端部に形成された側壁上端係合部を含み、
上記被吸着部材側係合部は、上記本体部の下端部に形成され、上記側壁上端係合部と係合する本体下端係合部を含む、被吸着部材付きリセプタクルコネクタ。
【請求項２】
上記被吸着部材は、上記第１側壁を挟んで上記一対の押圧部の一方に対向する壁部を含み、
上記一対の押圧部の一方と上記壁部との間に上記本体下端係合部が配置されている、請求項１記載の被吸着部材付きリセプタクルコネクタ。
【請求項３】
上記一対の押圧部の一方と上記壁部のそれぞれの下端部は、上下方向の位置が互いに異なる、請求項２記載の被吸着部材付きリセプタクルコネクタ。
【請求項４】
上記第１側壁は、上記リセプタクルコネクタに結合される相手方コネクタに対する連結状態をロックするために、上記相手方コネクタのロック爪に係合する係合爪部を含み、
上記係合爪部は、上記第１側壁の外側面の上端側を窪ませて形成されたロック空間に配置されており、
上記ハウジング側係合部は、上記ロック空間の底部に形成された底部係合部を含み、
上記被吸着部材は、上記第１側壁の外側面に沿って延びる外壁部を含み、
上記被吸着部材側係合部は、上記外壁部の下端部に形成された外壁下端係合部を含む、請求項１〜３の何れか一項に記載の被吸着部材付きリセプタクルコネクタ。
【請求項５】
上記一対の押圧部は、上記第１および第２側壁の内側面をそれぞれ押圧するように設けられている、請求項４記載の被吸着部材付きリセプタクルコネクタ。
【請求項６】
上記外壁部は、上記一対の押圧部のうちの一方を兼ねるものであり、当該一対の押圧部が上記第１および第２側壁の外側面をそれぞれ押圧するものである、請求項４記載の被吸着部材付きリセプタクルコネクタ。
【請求項７】
上記外壁部は、上記ロック空間内に配置されており、上記係合爪部との接触を避けるための逃げ凹部を有する、請求項４〜６のいずれか一項に記載の被吸着部材付きリセプタクルコネクタ。
【請求項８】
上記被吸着部材は、上記左右方向における上記リセプタクルコネクタの重心位置の近傍に配置されている、請求項１〜７のいずれか一項に記載の被吸着部材付きリセプタクルコネクタ。
【発明の詳細な説明】
【技術分野】
【０００１】
この発明は、被吸着部材付きリセプタクルコネクタに関する。
【背景技術】
【０００２】
自動実装に対応した表面実装型のコネクタは、たとえば、エンボスキャリアテープに収容された状態で市場に供給される。エンボスキャリアテープは、表面実装型コネクタを一個ずつ収容するバスタブ状のケース部を連成した帯状のキャリアテープ本体と、ケース部を覆うようにキャリアテープ本体に剥離可能に貼り合わされた帯状の保護シートとからなる。
【０００３】
表面実装型コネクタを配線基板上に自動実装するための自動実装機は、表面実装型コネクタを吸着保持する吸着部材（たとえばエアノズル）を備えている。この自動実装機は、保護シートを剥離しながらエンボスキャリアテープを順送りする一方で、吸着部材によって、ケース部内の表面実装型コネクタを取り出して配線基板上の所定位置に配置するように動作する。
【０００４】
表面実装型コネクタを吸着部材によって確実に吸着保持するためには、表面実装型コネクタの上面に、十分な大きさの平坦な被吸着面が設けられている必要がある。
この被吸着面を、コネクタのハウジングに嵌め込まれた吸着用補助具に設けることが提案されている（たとえば、特許文献１参照）。
上記吸着用補助具は、被吸着面が形成された平板部と、平板部から下方に延びる一対の脚部とを含んでいる。一対の脚部は、ハウジングの底壁から上方に突出形成された嵌合部を、その肉厚方向に挟み込んでいる。
【０００５】
吸着部材の吸着によって吸着用補助具が持ち上げられると、コネクタのハウジングも持ち上がるので、コネクタを移動させて自動実装を行うことができる。コネクタが配線基板表面に実装された後、吸着用補助具を持ち上げると、一対の脚部が嵌合部から引き上げられ、吸着用補助具がコネクタから取り外される。
また、特許文献１では、上記被吸着面を、コネクタのハウジングと一体成形され、かつ、ハウジングから切り取り可能とされた平面部材に設けることも提案されている。
【０００６】
この場合、吸着部材が平面部材を吸着することで、コネクタのハウジングを持ち上げつつ移動できるので、自動実装を行うことができる。コネクタが配線基板表面に実装された後、平面部材をハウジングから切断することで、平面部材がコネクタから取り外される。
【特許文献１】実開平５−３１１８８号公報
【発明の開示】
【発明が解決しようとする課題】
【０００７】
しかしながら、特許文献１における吸着用補助具を用いた構成の場合、一対の脚部は、嵌合部に対して摩擦接触しているだけであり、ハウジング長手方向に関する位置規制は、専ら脚部と嵌合部との間の摩擦力に依らなければならない。このため、吸着部材によって吸着用補助具およびコネクタを持ち上げた状態で、吸着部材を一定以上の加速度で動かしたり、吸着部材が振動したりすると、一対の脚部が嵌合部に対してハウジング長手方向に滑り、両者が位置ずれを起こす。このような位置ずれが生じると、吸着用補助具を配線基板に対して正規の位置に配置しても、コネクタは、配線基板の正規の位置からずれた位置に配置されてしまう。つまり、自動実装機によって配線基板上の所定位置に吸着部材が導かれても、この吸着部材に対するコネクタの相対位置がずれているため、コネクタを正規の位置に配置することができない。そのため、配線基板に対するコネクタの表面実装が不良になるおそれがある。
【０００８】
さらに、吸着部材で吸着用補助具を吸着する以前の時点で、一対の脚部が嵌合部に対して正規位置から長手方向にずれるおそれがある。このようなずれがあると、吸着部材による吸着が行われる吸着位置に吸着用補助具がなく、吸着部材による吸着を行えないおそれがある。
また、ハウジングに吸着用の平面部材を一体成形した構成の場合には、コネクタを配線基板に実装した後に平面部材を切断する作業が必要であり、手間がかかる。
【０００９】
そこで、この発明の目的は、自動実装に際して、コネクタが配線基板上の正規の位置に対してずれた位置に実装されることを防止できるとともに、吸着部材による吸着を確実に行うことができ、しかも、被吸着部材の取り外し作業を容易に行うことのできる、被吸着部材付きリセプタクルコネクタを提供することである。
【課題を解決するための手段】
【００１０】
上記の目的を達成するための請求項１記載の発明は、絶縁性のハウジング（５）、および、上記ハウジングに保持され、所定のピッチ（Ｐ）で左右方向（Ｘ）に並ぶ複数の導電性のコンタクト（６）を含むリセプタクルコネクタ（１；１Ａ；１Ｂ）と、上記ハウジングに対して着脱可能な被吸着部材（３９；３９Ｃ；３９Ｄ；３９Ｅ）とを備え、上記ハウジングは、上記複数のコンタクトを前後方向（Ｙ）に挟む第１および第２側壁（１１，１２；１１Ａ，１２Ａ；１１Ｂ，１２Ｂ）と、上記第１側壁に形成されて上記左右方向と交差する方向（Ｚ）に延びる凸部（１６）または凹部（２２；１７）からなるハウジング側係合部とを含み、上記被吸着部材は、吸着部材（９０）により吸着される被吸着面（４４）が上面に形成された本体部（４０；４０Ｄ）と、この本体部から下方に延設されて上記第１および第２側壁を上記前後方向に沿って押圧し、上記第１および第２側壁に摩擦係合する一対の押圧部（４２，４３；４２Ｃ，４３；４１Ｄ，４３Ｄ）と、上記被吸着部材の所定部（４０，４１；４０Ｄ，４１Ｄ）に形成された凹部（４６）または凸部（５１；６０）からなり上記ハウジング側係合部に嵌合する被吸着部材側係合部とを含み、上記ハウジング側係合部は、上記第１側壁の上端部に形成された側壁上端係合部（１６；１７）を含み、上記被吸着部材側係合部は、上記本体部の下端部に形成され、上記側壁上端係合部と係合する本体下端係合部（４６；６０）を含む、被吸着部材付きリセプタクルコネクタ（３５；３５Ａ）である。
【００１１】
なお、括弧内の英数字は、後述の実施形態における対応構成要素などを表す。以下、この項において同じ。
この明細書において、「左右方向」、「前後方向」および「上下方向」は、リセプタクルコネクタが配線基板に実装されたときの姿勢（実装状態の姿勢）を基準とした方向を表すものとする。具体的には、「左右方向」とは、複数のコンタクトの整列方向であり、リセプタクルコネクタの実装状態において配線基板の主面に平行な方向である。また、「前後方向」とは、コンタクト整列方向に直交する方向であり、リセプタクルコネクタの実装状態において配線基板の主面に平行な方向である。そして、「上下方向」とは、左右方向および前後方向に垂直な方向であり、リセプタクルコネクタの実装状態においては、配線基板の主面の法線方向に一致する。
【００１２】
この発明の構成によれば、吸着部材によって被吸着部材を吸着することにより、被吸着部材に加え、被吸着部材と摩擦係合しているハウジングを持ち上げて移動することができる。また、ハウジング側係合部と被吸着部材側係合部との嵌合により、左右方向におけるハウジングと被吸着部材との相対移動が規制されている。これにより、被吸着部材がハウジングに対して左右方向に不用意に動いて位置ずれすることを防止できる。その結果、吸着部材を操作して被吸着部材を配線基板に対する正規位置に配置することで、リセプタクルコネクタを配線基板に対する正規位置に確実に配置できる。
【００１３】
また、ハウジング側係合部と被吸着部材側係合部との嵌合により、被吸着部材を、左右方向に関して、ハウジングに対して正規位置に位置決めした状態でハウジングに取り付けることができる。その結果、吸着部材で被吸着部材を吸着する際に、被吸着部材を、吸着部材に対して正規の位置に確実に配置しておくことができ、吸着部材による被吸着部材の吸着を確実に行うことができる。
【００１４】
さらに、被吸着部材を、ハウジングに対して所定以上の力で持ち上げることにより、一対の押圧部を、第１および第２側壁との摩擦係合力に抗して上側に移動させることができ、これにより、被吸着部材をハウジングから取り外すことができる。したがって、リセプタクルコネクタを配線基板に実装して固定した後、被吸着部材を持ち上げるという簡易な動作で、被吸着部材を容易に取り外すことができる。
また、ハウジングおよび被吸着部材のうち、上下方向に互いに対向する部分にハウジング側係合部および被吸着部材側係合部を配置でき、これらハウジング側係合部および被吸着部材側係合部を小型にできる。
【００１５】
上記リセプタクルコネクタは、たとえば、配線基板上に表面実装されるものである。このような表面実装型のリセプタクルコネクタは、たとえば、エンボスキャリアテープに収容された状態で市場に供給される。エンボスキャリアテープは、リセプタクルコネクタを１個ずつ収容する複数のケース部を連設した帯状のキャリアテープ本体と、前記複数のケース部の開口部を覆うようにキャリアテープ本体に剥離可能に貼り合わされた帯状の保護シートとを有するものであってもよい。このようなエンボスキャリアテープに収容された状態のリセプタクルコネクタは、自動実装機に装填され、この自動実装機によって配線基板上に自動実装することができる。
【００１６】
自動実装機は、たとえば、上記被吸着部材を吸着保持するための吸着部材と、この吸着部材を配線基板の主面に沿う方向および配線基板の主面の法線方向に対して移動するための移動機構と、この移動機構の動作を制御するための制御手段とを含む。制御手段によって移動機構の動作が制御されることによって、吸着部材は、所定の吸着位置でエンボスキャリアテープのケース部に収容されたリセプタクルコネクタを上記被吸着部材を介して間接的に吸着保持し、その後、配線基板の所定の実装位置まで移動して、被吸着部材付きリセプタクルコネクタの吸着保持を解除する。これにより、エンボスキャリアテープのケース部内のリセプタクルコネクタが、配線基板の正規位置に配置される。
【００１７】
請求項２記載の発明は、上記ハウジング側係合部は、上記第１側壁の上端部に形成された側壁上端係合部（１６；１７）を含み、上記被吸着部材側係合部は、上記本体部の下端部に形成され、上記側壁上端係合部と係合する本体下端係合部（４６；６０）を含む、請求項１記載の被吸着部材付きリセプタクルコネクタである。
この構成によれば、ハウジングおよび被吸着部材のうち、上下方向に互いに対向する部分にハウジング側係合部および被吸着部材側係合部を配置でき、これらハウジング側係合部および被吸着部材側係合部を小型にできる。
【００１８】
請求項２記載の発明は、上記被吸着部材は、上記第１側壁を挟んで上記一対の押圧部の一方（４２；４２Ｃ；４１Ｄ）に対向する壁部（４１；４２Ｄ；４２Ｅ）を含み、上記一対の押圧部の一方と上記壁部との間に上記本体下端係合部が配置されている、請求項２記載の被吸着部材付きリセプタクルコネクタである。
この構成によれば、一対の押圧部の一方と上記壁部とによって第１側壁を挟持できる結果、被吸着部材と第１側壁との摩擦係合力をより高くできる。また、前後方向に間隔を隔てて並ぶ一対の押圧部の一方と壁部との間に本体下端係合部を配置している。これにより、これら一対の押圧部の一方と壁部との間の空間を有効利用でき、被吸着部材をより小型にできる。
【００１９】
請求項３記載の発明は、上記一対の押圧部の一方と上記壁部のそれぞれの下端部は、上下方向の位置が互いに異なる、請求項３記載の被吸着部材付きリセプタクルコネクタである。
この構成によれば、一対の押圧部の一方と壁部との間に第１側壁を差し込むときに、これら一対の押圧部の一方および壁部のうち、下方に長く延びる部分を第１側壁に先に沿わせ、その後、下方に短く延びる部分を第１側壁に沿わせることができる。したがって、上記下方に長く延びる部分を挿入案内部材として用いて、一対の押圧部の一方と壁部との間に第１側壁を差し込むことができ、この差し込み作業を容易に行うことができる。また、一対の押圧部の一方および壁部の何れか一方が他方に対して短くされているので、たとえば、金型を用いて被吸着部材を形成する際の金型の形状を簡素にでき、被吸着部材の製造が容易である。
【００２０】
上記一対の押圧部の一方と壁部とは、いずれが上方に位置してもよいが、それらのうち、第１側壁の内側面に沿わされたほうの下端部の位置が、第１側壁の外側面に沿わされたほうの下端部の位置よりも上方にあるようにすることが好ましい。これにより、第１側壁の内側面に沿わされたほうを上下方向に短くして折れ難くでき、ハウジング内に折れた破片が混入することを抑制できる。
【００２１】
請求項４記載の発明は、上記第１側壁は、上記リセプタクルコネクタに結合される相手方コネクタ（３）に対する連結状態をロックするために、上記相手方コネクタのロック爪（３２ｂ）に係合する係合爪部（２１）を含み、上記係合爪部は、上記第１側壁の外側面（１８）の上端側を窪ませて形成されたロック空間（２０；２０Ａ）に配置されており、上記ハウジング側係合部は、上記ロック空間の底部に形成された底部係合部（２２）を含み、上記被吸着部材は、上記第１側壁の外側面に沿って延びる外壁部（４１；４１Ｄ）を含み、上記被吸着部材側係合部は、上記外壁部の下端部に形成された外壁下端係合部（５１）を含む、請求項１〜４の何れか一項に記載の被吸着部材付きリセプタクルコネクタである。
【００２２】
この構成によれば、係合爪部をロック空間から突出しないように配置でき、かつ、ハウジング側係合部および被吸着部材側係合部をロック空間から突出しないように配置できる。したがって、ハウジングを大型にすることなく、被吸着部材の左右相対移動を規制できる。すなわち、相手方コネクタとのロック係合のためのロック空間を利用して、被吸着部材とハウジングとの左右方向相対移動を規制する構造を設けることができるので、ハウジングの大型化を回避でき、かつ、被吸着部材が装着された状態での全体構造の大型化も回避できる。
【００２３】
特に、ハウジングの側壁上端部とロック空間底部との両方でハウジングと被吸着部材との左右方向相対移動を規制する構成とするのが、より好ましい。これにより、被吸着部材の左右方向への相対移動をより確実に規制することができるうえ、被吸着部材のハウジングに対する相対姿勢の変動を併せて規制することができる。
【００２４】
請求項５記載の発明は、上記一対の押圧部（４２，４３；４２Ｃ，４３）は、上記第１および第２側壁の内側面（５２，５３）をそれぞれ押圧するように設けられている、請求項５記載の被吸着部材付きリセプタクルコネクタである。
この構成によれば、一対の押圧部が第１および第２側壁の内側面を外側面側に押圧することとなり、一対の押圧部と第１および第２側壁との間で十分な摩擦係合力を発生することができる。
【００２５】
請求項６記載の発明は、上記外壁部（４１Ｄ）は、上記一対の押圧部（４１Ｄ，４３Ｄ）のうちの一方を兼ねるものであり、当該一対の押圧部が上記第１および第２側壁の外側面（１８，５４）をそれぞれ押圧するものである、請求項５記載の被吸着部材付きリセプタクルコネクタである。
この構成によれば、一対の押圧部が第１および第２側壁の外側面を内側面側に押圧することとなり、一対の押圧部と第１および第２側壁との間で十分な摩擦係合力を発生することができる。また、外壁部が一方の押圧部を兼ねることにより、これら外壁部および一方の押圧部を別々に形成する必要がない。
【００２６】
請求項７記載の発明は、上記外壁部は、上記ロック空間内に配置されており、上記係合爪部との接触を避けるための逃げ凹部（５０）を有する、請求項５〜７のいずれか一項に記載の被吸着部材付きリセプタクルコネクタである。
この構成によれば、外壁部をロック空間内に配置することで、外壁部がロック空間から突出しないようにでき、被吸着部材付きリセプタクルコネクタをより小型にできる。また、外壁部に逃げ凹部を設けていることにより、外壁部に係合爪部の少なくとも一部を収容できるので、ロック空間を小型にでき、被吸着部材付きリセプタクルコネクタをより小型にできる。換言すれば、ロック空間を大きくすることなく、相手方コネクタとのロック構造および被吸着部材の左右方向相対移動規制構造を設けることができる。
【００２７】
請求項８記載の発明は、上記被吸着部材は、上記左右方向における上記リセプタクルコネクタの重心位置（Ｇ）の近傍に配置されている、請求項１〜８のいずれか一項に記載の被吸着部材付きリセプタクルコネクタである。
この構成によれば、吸着部材で被吸着部材付きリセプタクルコネクタを吸着して持ち上げているときに、リセプタクルコネクタが斜めに傾くことを防止でき、このリセプタクルコネクタを、安定した姿勢で移動できる。
【発明を実施するための最良の形態】
【００３２】
以下には、図面を参照して、この発明の実施形態について具体的に説明する。
図１は、この発明の一実施形態に係る被吸着部材付きリセプタクルコネクタに適用されるリセプタクルコネクタ、このリセプタクルコネクタに結合される配線基板および電線付きコネクタの構成を示す図解的な斜視図である。
リセプタクルコネクタ１は、配線基板２上に実装されるものであり、相手方コネクタとしての電線付きコネクタ３が結合されるようになっている。電線付きコネクタ３には、電線４が結合されている。
【００３３】
配線基板２は、たとえば、液晶表示装置に備えられるものであり、液晶表示パネルなどの表示パネル（図示せず）上での画像表示のための電気・電子部品が実装されている。
なお、以下では、配線基板２が水平方向に沿って配置され、リセプタクルコネクタ１が配線基板２の上方側に配置された状態を基準として説明する。
リセプタクルコネクタ１は、合成樹脂製の一体成形品である絶縁性のハウジング５と、金属板をプレス成形して形成され、このハウジング５に圧入されて保持された複数の導電性のコンタクト６とを備えている。
【００３４】
図２は、図１のＩＩ−ＩＩ線に沿う断面図である。図１および図２を参照して、ハウジング５は、上方に開放された略箱形状をなす部材であり、その左右方向Ｘ（配線基板２の主面に平行な一方向）に相対的に長く、その前後方向Ｙ（配線基板２の主面に平行な他の方向）に相対的に短くされている。なお、左右方向Ｘは、前後方向Ｙとは直交しており、上下方向Ｚ（配線基板２の主面の法線方向）は、これら左右方向Ｘおよび前後方向Ｙの双方に直交している。
【００３５】
ハウジング５は、配線基板２上に配置された平板状の底壁７と、底壁７の外周縁部に立設されてこの底壁７と直交する環状の周壁８とを備えている。
底壁７および周壁８によって、電線付きコネクタ３の後述する本体部３１を受け入れるための、左右方向Ｘに長い略直方体状の受け入れ空間９が区画されている。
周壁８は、ハウジング５の前壁としての第１側壁１１と、ハウジング５の後壁としての第２側壁１２と、ハウジング５の右壁としての第３側壁１３と、ハウジング５の左壁としての第４側壁１４とを備えている。第１および第２側壁１１，１２は、前後方向Ｙと略直交しており、第３および第４側壁１３，１４は左右方向Ｘと略直交している。
【００３６】
第１側壁１１は、低背部１５を含んでいる。低背部１５は、左右方向Ｘにおける第１側壁１１の中間部に形成されており、第１側壁１１の左端部および右端部と比べて底壁７からの高さが低い。
低背部１５の上端部には、凸部からなるハウジング側係合部としての側壁上端係合部１６が形成されている。側壁上端係合部１６は、左右方向Ｘにおける、低背部１５の上端部の中央部に配置されている。側壁上端係合部１６は、左右方向Ｘに交差する方向としての上下方向Ｚのうちの上方向に延びている。この側壁上端係合部１６の左右両端側には、窪み１７が形成されている。
【００３７】
第１側壁１１の外側面１８には、凹陥部１９が形成されている。凹陥部１９は、左右方向Ｘにおける低背部１５の外側壁１８の中間部のうち、上端側の大部分を後側に窪ましてなる。この凹陥部１９によって、リセプタクルコネクタ１と電線付きコネクタ３とのロック状態を達成するためのロック空間２０が区画されている。ロック空間２０は、略直方体形状をなしている。
【００３８】
凹陥部１９の後側部１９ａは、前後方向Ｙと直交しており、上下方向Ｚに沿って延びている。後側部１９ａによって、ロック空間２０の後側が区画されている。この後側部１９ａの右端部および左端部には、それぞれ、電線付きコネクタ３の後述するロック爪３２ｂに係合するための係合爪部２１が突設されている。これらの係合爪部２１は、ロック空間２０内に配置されて、電線付きコネクタ３の挿抜方向である上下方向Ｚにおける後側部１９ａの中間部に位置している。
【００３９】
各係合爪部２１のうち、電線付きコネクタ３の挿入方向上流側には、ロック爪３２ｂを案内する案内傾斜面２１ａが形成されており、上記挿入方向下流側には、ロック爪３２ｂと係合して電線付きコネクタ３の不用意な脱抜を防止する抜け止め面２１ｃが形成されており、案内傾斜面２１ａと抜け止め面２１ｃとの間は、上下方向Ｚに沿う平坦面２１ｂとなっている。
【００４０】
案内傾斜面２１ａは、挿入方向の下流側に進むに従い後側部１９ａから離れるように傾斜している。抜け止め面２１ｃは、後側部１９ａの前面から前方に略垂直に立ち上がっており、平坦面２１ｂと後側部１９ａとの間に高低差のある段差部を形成している。
凹陥部１９の底部１９ｂは、配線基板２と略平行に延びており、ロック空間２０の底部を区画している。この底部１９ｂには、凹部からなるハウジング側係合部としての底部係合部２２が形成されている。底部係合部２２は、ロック空間２０の底部に配置されており、左右方向Ｘにおいて、底部１９ｂの略中央部（平面視において一対の係合爪部２１の間に対応する領域）に配置されており、たとえば互いに間隔を隔てて一対配置されている。これらの底部係合部２２は、底部１９ｂから、左右方向Ｘに交差する方向としての上下方向Ｚのうちの下方向に延びている。
【００４１】
第２側壁１２は、低背部２３を含んでいる。低背部２３は、左右方向Ｘにおける第２側壁１２の中間部に形成されており、第２側壁１２の左端部および右端部と比べて低背である。第２側壁１２の低背部２３と、第１側壁１１の低背部１５とは、底壁７からの高さが略等しい。
コンタクト６は、配線基板２と電線４とを電気接続するためのものであり、前後方向Ｙに間隔を隔てて、２列に並んでいる。また、コンタクト６は、左右方向Ｘに所定の等ピッチＰで複数並んでいる。リセプタクルコネクタ１の極数（コンタクト６の本数）は、たとえば、２列×１３＝２６極とされている。この極数は、配線基板２に実装される電子部品の数などに応じて、適宜決定される。第１および第２側壁１１，１２は、コンタクト６を前後方向Ｙに挟んで配置されている。
【００４２】
各コンタクト６は、左右方向Ｘに沿ってみた側面視においてＬ字形状をなしており、上下方向Ｚに延びて底壁７とは垂直な垂直部２４と、垂直部２４の基端部から底壁７と略平行（前後方向Ｙに略平行）に延びる平行部２５とを含んでいる。
垂直部２４は、電線付きコネクタ３の後述する端子金具２９と結合するためのものであり、針状の先鋭な部分である。この垂直部２４の先端は、第１側壁１１の低背部１５の上端部よりも下側に位置している。垂直部２４の基端部は、底壁７の対応する箇所に貫通形成された保持孔２６に圧入固定されており、これにより、コンタクト６がハウジング５に保持されている。
【００４３】
平行部２５は、前後方向Ｙにおけるハウジング５の中央から遠ざかるように前後方向Ｙに沿って延びている。平行部２５の基端部は、垂直部２４の基端部に接続されている。平行部２５の先端部は、基端部と比べて下方に延び、さらに配線基板２の表面に沿うように屈曲させられた基板接続部２７とされている。この基板接続部２７が、配線基板２上のランド部に半田接合されることになる。基板接続部２７は、ハウジング５の第１および第２側壁１１，１２の対応する外側面１８，５４から前後方向Ｙに突出している。
【００４４】
電線付きコネクタ３は、樹脂製の直方体形状のハウジング２８と、このハウジング２８に装着された複数本の端子金具２９とを有している。端子金具２９は、予め電線４が圧着され、その状態でハウジング２８に圧入されることによって、ハウジング２８に装着される。
ハウジング２８は、端子金具２９を収容するための端子金具収容孔３０が形成された本体部３１を後側に有し、リセプタクルコネクタ１の係合爪部２１と係合するため板状のロック係合部３２を前側に有している。
【００４５】
ロック係合部３２は、左右方向Ｘにおける本体部３１の中間部に配置されており、上下方向Ｚの中間部に設けられた支点部３２ａを介して本体部３１に結合されている。このロック係合部３２の下端側に位置する先端部は、本体部３１側に突出したロック爪３２ｂを有し、上端側に位置する後端部は、ロック状態の解除のための操作部３２ｃを有している。
【００４６】
支点部３２ａは、ロック爪３２ｂが前後動する方向へのロック係合部３２の弾性的な揺動を許容する状態で、このロック係合部３２を本体部３１に結合している。
ロック爪３２ｂは、リセプタクルコネクタ１の係合爪部２１に対応して、左右方向Ｘに離隔して一対設けられており、本体部３１側に突出している。
電線付きコネクタ３をリセプタクルコネクタ１に挿入するとき、電線付きコネクタ３の本体部３１をリセプタクルコネクタ１の受け入れ空間９に合わせる。すると、ロック係合部３２がロック空間２０の上方に位置する。
【００４７】
この状態で、電線付きコネクタ３の本体部３１をリセプタクルコネクタ１の受け入れ空間９に挿入すると、各端子金具２９は、リセプタクルコネクタ１の対応するコンタクト６の垂直部２４に接触し、配線基板２と電線４との間には、端子金具２９およびコンタクト６を介する電路が形成される。
一方、ロック係合部３２のロック爪３２ｂは、係合爪部２１の案内傾斜面２１ａによって平坦面２１ｂへと案内されることにより、係合爪部２１を乗り越える。これにより、ロック爪３２ｂの規制面３２ｄが係合爪部２１の抜け止め面２１ｃと係合して、図３に示すロック状態に至る。これにより、電線付きコネクタ３とリセプタクルコネクタ１との結合状態がロックされる。このとき、ロック係合部３２の先端部側は、ロック空間２０内に配置されるから、ロック係合部３２と係合爪部２１との係合が不用意に解除されることを防止できる。
【００４８】
電線付きコネクタ３をリセプタクルコネクタ１から取り外すときには、操作者は、ロック係合部３２の操作部３２ｃを本体部３１側に押す。これにより、ロック係合部３２が支点部３２ａを中心に回動し、ロック爪３２ｂは、ハウジング５から離れる方向である前方へと持ち上げられ、係合爪部２１との係合状態が解除される。
この状態で、操作者が、電線付きコネクタ３を脱抜方向（上方向）へ引き出すと、電線付きコネクタ３の本体部３１が受け入れ空間９から離れ、電線付きコネクタ３とリセプタクルコネクタ１とを引き離すことができる。
【００４９】
図４は、リセプタクルコネクタ１と、リセプタクルコネクタ１のハウジング５に対して着脱可能な被吸着部材３９とを示す斜視図である。図５（ａ）は、被吸着部材３９の平面図であり、図５（ｂ）は、被吸着部材３９の正面図であり、図５（ｃ）は、被吸着部材３９の右側面図であり、図５（ｄ）は、図５（ｂ）のｄ−ｄ線に沿う断面図および吸着部材９０の側面図である。
【００５０】
図４および図５（ａ）〜図５（ｄ）を参照して、被吸着部材３９は、吸引ノズルなどの吸着部材９０を用いてリセプタクルコネクタ１を配線基板２に実装する際に用いられる樹脂製の一体成形品であり、リセプタクルコネクタ１の上方に配置される。なお、被吸着部材３９は、リセプタクルコネクタ１に装着されているときの状態を基準として説明する。
この被吸着部材３９は、本体部４０と、本体部４０から下方に延設されて前後方向Ｙに並ぶ３つの壁部としての第１壁部４１、第２壁部４２および第３壁部４３とを備えている。
【００５１】
図６（ａ）は、被吸着部材３９がリセプタクルコネクタ１に装着された状態を示す要部の正面図であり、図６（ｂ）は、図６（ａ）のｂ−ｂ線に沿う断面図であり、図６（ｃ）は、図６（ｂ）のｃ−ｃ線に沿う断面図であり、図６（ｄ）は、図６（ａ）のｄ−ｄ線に沿う断面図である。
図５（ａ）〜図５（ｄ）および図６（ａ）〜図６（ｄ）を参照して、被吸着部材３９は、左右方向Ｘにおいて、リセプタクルコネクタ１の重心位置Ｇの近傍に配置されている。より具体的には、被吸着部材３９の左右方向Ｘの中心が、左右方向Ｘにおけるリセプタクルコネクタ１の重心位置Ｇと重なるように配置されている。
【００５２】
本体部４０は、上下方向Ｚと直交する方向（配線基板２の主面と平行）に延びる平板状をなしており、前後方向Ｙに並ぶ前端部４０ａ、中間部４０ｂおよび後端部４０ｃを含んでいる。平面視において、中間部４０ｂは、左右方向Ｘに長い矩形状に形成され、前端部４０ａおよび後端部４０ｃは、それぞれ、中間部４０ｂと比べて左右方向Ｘおよび前後方向Ｙの双方に関して短い矩形状をなしている。
【００５３】
本体部４０の上面は、上下方向Ｚと直交して上方を向く平坦面とされており、吸着部材９０に吸着される被吸着面４４とされている。被吸着面４４は、配線基板２と略平行である。被吸着部材３９の所定部としての本体部４０のうち、中間部４０ｂは、凹部からなる被吸着部材側係合部としての本体下端係合部４６を含んでいる。本体下端係合部４６は、中間部４０ｂの下端部に形成されており、リセプタクルコネクタ１の第１側壁１１の側壁上端係合部１６に嵌合する。この本体下端係合部４６は、中間部４０ｂの下端部に設けられた一対の垂下部４７，４８によって形成されている。
【００５４】
一対の垂下部４７，４８は、左右方向Ｘにおいて、側壁上端係合部１６の左右の幅よりもわずかに広い間隔を隔てて並んでおり、下方に延びている。これら一対の垂下部４７，４８の先端部間に、本体下端係合部４６が形成されている。この本体下端係合部４６は、左右方向Ｘと交差する方向としての上下方向Ｚに沿って延びており、本体部４０の下方に開放されている。本体下端係合部４６は、前後方向Ｙにおいて、第１および第２壁部４１，４２間に配置されている。本体下端係合部４６の下端は、第１および第２壁部４１，４２の下端と比べて、上方に位置している。
【００５５】
第１壁部４１は、被吸着部材３９の外壁部として設けられているとともに、後述する一対の押圧部の一方としての第２壁部４２と第１側壁１１を挟んで対向する壁部として設けられている。第１壁部４１は、一対の垂下部４７，４８に対して前側に配置されており、ロック空間２０内に配置されている。この第１壁部４１は、本体部４０の前端部４０ａから下方に延びる矩形板状をなしており、第２および第３壁部４２，４３と比べて厚肉に形成されている。第１壁部４１は、実質的に弾性変形しないような厚みにされている。
【００５６】
第１壁部４１の肉厚は、前後方向Ｙにおけるロック空間２０の長さよりも短くされており、第１壁部４１が第１側壁１１よりも前方に突出しないようにされている。
上下方向Ｚと直交する方向で切断した断面（図６（ｄ）に示す断面）において、第１壁部４１は、Ｕ字形状をなしている。第１壁部４１の内側面５６は、第１側壁１１の外側面１８の後側部１９ａに沿わされており、この内側面５６に、逃げ凹部５０が形成されている。逃げ凹部５０は、後述するように、左右方向Ｘにおける第１壁部４１の位置と係合爪部２１の位置とが重なる場合に、この係合爪部２１との接触を避けるためのものである。この逃げ凹部５０は、上下方向Ｚにおける第１壁部４１の全域に亘って形成されており、本体下端係合部４６と連続している。
【００５７】
被吸着部材３９の所定部としての第１壁部４１には、その下端部に、凸部からなる被吸着部材側係合部としての外壁下端係合部５１が設けられている。外壁下端係合部５１は、たとえば、底部係合部２２に対応して、左右方向Ｘに間隔を隔てて一対設けられている。各外壁下端係合部５１は、左右方向Ｘと交差する方向としての上下方向Ｚのうち、下方向に向けて突出しており、リセプタクルコネクタ１の対応する底部係合部２２にそれぞれ嵌合するようになっている。
【００５８】
第２壁部４２は、第１壁部４１と第３壁部４３とに挟まれるように受け入れ空間９内に配置された板状の弾性片部であり、先端部が前後方向Ｙに沿って押圧されることにより、基端部を支点にして弾性的に撓むことができる。第２壁部４２は、一対の押圧部の一方を構成しており、第１側壁１１を前後方向Ｙに沿って前側に押圧する。
第２壁部４２の先端部には、第１側壁１１に係合するための押圧凸部４２ａが突出形成されている。この押圧凸部４２ａは、第１側壁１１側に膨出しており、第１側壁１１の内側面５２を外側面１８側（前側）に押圧している。
【００５９】
第３壁部４３は、本体部４０の後端部４０ｃから延設されて、受け入れ空間９内に配置された板状の弾性片部であり、たとえば、左右方向Ｘに間隔を隔てて２箇所に設けられている。第３壁部４３は、その先端部が前後方向Ｙに沿って押圧されることにより、基端部を支点にして弾性的に撓むことができる。第３壁部４３は、一対の押圧部の他方を構成しており、第２側壁１２を前後方向Ｙに沿って後側に押圧する。
【００６０】
第３壁部４３の先端部には、第２側壁１２に係合するための押圧凸部４３ａが突出形成されている。この押圧凸部４３ａは、第２側壁１２側に膨出しており、第２側壁１２の内側面５３を外側面５４側（後側）に押圧している。
このように、一対の押圧部としての第２および第３壁部４２，４３が、第１および第２側壁１１，１２の対応する内側面５２，５３を外側へ向けて（前後方向Ｙに沿って）押圧している。これにより、第２および第３壁部４２，４３は、第１および第２側壁１１，１２に対して、上下方向Ｚに同行移動可能な状態で、所定の摩擦力で摩擦係合している。この所定の摩擦力は、適宜に設定されるが、少なくとも、後述するクリーム半田のリフロー時の熱による樹脂材料の軟化によって、被吸着部材３９がリセプタクルコネクタ１のハウジング５に対して相対変位しない程度に設定される。
【００６１】
被吸着部材３９をリセプタクルコネクタ１に取り付ける際には、まず、図４に示すように、単体の被吸着部材３９と単体のリセプタクルコネクタ１とを上下に対向させる。
このとき、被吸着部材３９の本体部４０の本体下端係合部を、第１側壁１１の側壁上端係合部１６に対向させる。また、第１壁部４１をロック空間２０に対向させるとともに、第１壁部４１に形成された各外壁下端係合部５１を、リセプタクルコネクタ１の対応する底部係合部２２にそれぞれ対向させる。また、第２および第３壁部４２，４３の双方を受け入れ空間９に対向させる。
【００６２】
この状態から、被吸着部材３９を下側に移動させると、図６（ａ）〜図６（ｄ）に示すように、第２および第３壁部４２，４３の押圧凸部４２ａ，４３ａが、受け入れ空間９内に挿入される。これにより、第２および第３壁部４２，４３は、第１および第２側壁１１，１２に挟まれて弾性変形する。押圧凸部４２ａ，４３ａは、第１および第２側壁１１，１２の内側面５２，５３を弾性的に外側へ押圧しつつ、これらの内側面５２，５３と摩擦係合する。これにより、被吸着部材３９がリセプタクルコネクタ１と同行移動可能となる。
【００６３】
また、第１壁部４１は、その内側面５６が第１側壁１１の後側部１９ａに沿わされながら、ロック空間２０内に挿入され、各外壁下端係合部５１が、第１側壁１１の対応する底部係合部２２にそれぞれ嵌合する。このとき、第１壁部４１の下端部が底部１９ｂに受けられ、被吸着部材３９がリセプタクルコネクタ１に対して上下方向Ｚに位置決めされる。
また、本体部４０の本体下端係合部４６が、第１側壁１１の側壁上端係合部１６に嵌合する。このとき、第１および第２壁部４１，４２によって、第１側壁１１が挟持される。第１壁部４１は、第１側壁１１の外側面１８の後側部１９ａに押圧される。これにより、第２壁部４２を第１側壁１１の内側面５２側により強く押圧させ、第２壁部４２と第１側壁１１との摩擦係合力を高める補助壁としての機能を第１壁部４１が発揮する。つまり、第１および第２壁部４１，４２によって第１側壁１１を挟持する構造により、被吸着部材３９とリセプタクルコネクタ１との摩擦係合力が高められている。
【００６４】
以上の次第で、被吸着部材３９の第２および第３壁部４２，４３が、リセプタクルコネクタ１の第１および第２側壁１１，１２の内側面５２，５３側を外側に押圧することで、被吸着部材３９とリセプタクルコネクタ１とが上下方向Ｚに同行移動可能となる。
また、被吸着部材３９の本体下端係合部４６と、リセプタクルコネクタ１の側壁上端係合部１６との係合、および被吸着部材３９の外壁上端係合部５１と、リセプタクルコネクタ１の底部係合部２２との係合によって、被吸着部材３９とリセプタクルコネクタ１との左右方向Ｘの相対移動が規制される。
【００６５】
被吸着部材付きリセプタクルコネクタ３５は、図７に示すように、エンボスキャリアテープ１００に収容された状態で市場に供給される。エンボスキャリアテープ１００は、キャリアテープ本体１０１と、このキャリアテープ本体１０１に剥離可能に貼着された保護シート１０２とを備えている。
キャリアテープ本体１０１は、被吸着部材付きリセプタクルコネクタ３５を１個ずつ収容するバスタブ状のケース部１０３を長手方向に沿って間隔を開けて連成した帯状体である。被吸着部材付きリセプタクルコネクタ３５は、配線基板２を水平に配置したときの当該被吸着部材付きリセプタクルコネクタ３５の実装状態の姿勢と同姿勢で、キャリアテープ本体１０１のケース部１０３に収容されている。
【００６６】
すなわち、被吸着部材付きリセプタクルコネクタ３５は、キャリアテープ１００を、保護シート１０２が上方に位置するように水平に延在させた状態で、被吸着部材３９の本体部４０の上面に形成された被吸着面４４がケース部１０３の上部開口から上方に臨むように収容されている。
被吸着部材付きリセプタクルコネクタ３５を配線基板２に自動実装するための自動実装機は、エンボスキャリアテープ１００をリールから引き出して水平に順送りする順送り機構と、この順送り機構の動作とタイミングを合わせて保護シート１０２を巻き取る保護シート巻き取り機構とを備えている。
【００６７】
順送り機構は、保護シート１０２が上側となるようにエンボスキャリアテープ１００を水平に延在させる。その状態で、保護シート巻き取り機構によって保護シート１０２が巻き取られることにより、保護シート１０２がキャリアテープ本体１０１から剥離されていき、ケース部１０３の上部開口から被吸着部材の被吸着面４４が上方側に露出されることになる。
【００６８】
この露出された被吸着面４４が、自動実装機の吸着部材９０によって吸着保持される。吸着部材９０は、吸着部材９０を前後左右および上下に移動するための吸着部材駆動機構に結合されており、この吸着部材駆動機構は、制御ユニット（マイクロコンピュータを含むもの）によって制御される。吸着部材駆動機構は、制御ユニットによって制御されることにより、所定の吸着位置に導かれたケース部１０３へと吸着部材９０を移動させて、当該ケース部１０３に収容された被吸着部材付きリセプタクルコネクタ３５を吸着保持させた後、吸着部材９０を上方に移動させて、被吸着部材付きリセプタクルコネクタ３５をケース部１０３から取り出す。吸着部材９０は、被吸着部材３９を介してリセプタクルコネクタ１を間接的に吸着保持する。
【００６９】
その後、吸着部材駆動機構は、吸着部材９０を配線基板配置部へと移動させ、この配線基板配置部に予め配置されている配線基板２上の所定位置に、被吸着部材付きリセプタクルコネクタ３５を搬送する。その後、吸着部材９０による被吸着面４４の吸着が解除されることにより、被吸着部材付きリセプタクルコネクタ３５が配線基板２上の正規位置に実装される。
【００７０】
配線基板２上のランドには予めクリーム半田が配置されていて、このクリーム半田にコンタクト６の基板接続部２７が接触するように、被吸着部材付きリセプタクルコネクタ３５が実装される。この状態の配線基板２をリフロー槽に通すことにより、クリーム半田が溶融し、その後の冷却工程を経て半田が硬化することによって、コンタクト６と配線基板２との永久接合が達成される。
【００７１】
コンタクト６と配線基板２との永久結合が達成された後、被吸着部材３９がリセプタクルコネクタ１から取り外される。具体的には、図６（ｂ）および図６（ｃ）を参照して、被吸着部材３９の本体部４０を作業者の手作業やロボットアームなどの自動機械により把持して上方に持ち上げる。これにより、第２および第３壁部４２，４３の押圧凸部４２ａ，４３ａは、第１および第２側壁１１，１２の対応する内側面５２，５３に対して摺動しつつ上方へ移動する。
【００７２】
これにより、第１壁部４１が、ロック空間２０から引き上げられ、第１壁部４１の各外壁下端係合部５１が、第１側壁１１の対応する底部係合部２２から引き抜かれる。また、本体部４０の本体下端係合部４６が、第１側壁１１の側壁上端係合部１６から引き抜かれる。
被吸着部材３９をさらに引き上げると、第２および第３壁部４２，４３が受け入れ空間９から引き抜かれ、被吸着部材３９がリセプタクルコネクタ１から取り外される。
【００７３】
リセプタクルコネクタ１から引き抜かれた被吸着部材３９は、回収されて、再び単品のリセプタクルコネクタ１に装着され、被吸着部材付きリセプタクルコネクタ３５として、キャリアテープ本体のケース部に収容されて再利用される。
以上のように、この実施形態によれば、吸着部材９０によって被吸着部材３９を吸着することにより、被吸着部材３９に加え、被吸着部材３９の第２および第３壁部４２，４３と摩擦係合しているリセプタクルコネクタ１のハウジング５を持ち上げて移動することができる。
【００７４】
また、側壁上端係合部１６と本体下端係合部４６との嵌合、および底部係合部２２と外壁下端係合部５１との嵌合により、左右方向Ｘにおけるハウジング５と被吸着部材３９との相対移動が規制されており、また、被吸着部材３９のリセプタクルコネクタ１に対する姿勢変動も規制されている。
これにより、被吸着部材３９がハウジング５に対して左右方向Ｘに不用意に動いて位置ずれすることを防止でき、また、リセプタクルコネクタ１に対して傾斜したりすることを防止できる。その結果、吸着部材９０を操作して被吸着部材３９を配線基板２に対する正規位置に配置することで、リセプタクルコネクタ１を配線基板２に対する正規位置に確実に配置できる。
【００７５】
また、側壁上端係合部１６と本体下端係合部４６との嵌合、および底部係合部２２と外壁下端係合部５１との嵌合により、被吸着部材３９を、左右方向Ｘに関してハウジング５に対して正規位置に位置決めした状態でハウジング５に取り付けることができる。その結果、吸着部材９０で被吸着部材３９を吸着する際に、被吸着部材３９を、吸着部材９０に対して正規の位置に確実に配置しておくことができ、吸着部材９０による被吸着部材３９の吸着を確実に行うことができる。
【００７６】
さらに、被吸着部材３９を、ハウジング５に対して所定以上の力で持ち上げることにより、第２および第３壁部４２，４３を、第１および第２側壁１１，１２との摩擦係合力に抗して上側に移動させることができ、これにより、被吸着部材３９をリセプタクルコネクタ１のハウジング５から取り外すことができる。したがって、被吸着部材付きリセプタクルコネクタ３５を配線基板２に実装して固定した後、被吸着部材３９を持ち上げるという簡易な動作で、被吸着部材３９をリセプタクルコネクタ１から容易に取り外すことができる。
【００７７】
また、第２および第３壁部４２，４３が第１および第２側壁１１，１２を外側に極めて強く押圧することで被吸着部材３９が左右方向Ｘに動くことを規制する構成ではないので、被吸着部材３９を引き上げるときに必要な力が大きくなり過ぎることもない。
また、ハウジング５および被吸着部材３９のうち、上下方向Ｚに互いに対向する部分としての第１側壁１１と本体部４０とに、側壁上端係合部１６と本体下端係合部４６とをそれぞれ配置でき、これら側壁上端係合部１６および本体下端係合部４６を小型にできる。
【００７８】
また、一対の押圧部の一方としての第２壁部４２と壁部としての第１壁部４１とによって第１側壁１１を挟持できる結果、被吸着部材３９と第１側壁１１との摩擦係合力をより高くできる。また、前後方向Ｙに間隔を隔てて並ぶ第１および第２壁部４１，４２間に本体下端係合部４６を配置している。これにより、これら第１および第２壁部４１，４２間の空間を有効利用でき、被吸着部材３９をより小型にできる。
【００７９】
さらに、ハウジング５の係合爪部２１をロック空間２０に配置するとともに、ロック空間２０の底部に底部係合部２２を形成し、第１壁部４１の下端部に外壁下端係合部５１を形成している。これにより、係合爪部２１を第１側壁１１のロック空間２０から突出しないように配置でき、かつ、底部係合部２２および外壁下端係合部５１をロック空間２０から突出しないように配置できる。したがって、ハウジング５を大型化することなく、被吸着部材３９の左右相対移動を規制できる。
【００８０】
また、側壁上端係合部１６および本体下端係合部４６からなる凹凸係合部と、底部係合部２２および外壁下端係合部５１からなる凹凸係合部とを設けることで、２箇所に凹凸係合部を設けることができる。これにより、１つの凹凸係合部のみを設けた場合と比べて、各凹凸係合部に作用する負荷が小さいことから、これらの凹凸係合部を小型にできる。しかも、被吸着部材３９のリセプタクルコネクタ１に対する姿勢変更を効果的に抑制できる。
【００８１】
また、第２および第３壁部４２，４３が、第１および第２側壁１１，１２の対応する内側面５２，５３を対応する外側面１８，５４側に押圧することとなり、第２および第３壁部４２，４３と、第１および第２側壁１１，１２との間で十分な摩擦係合力を発生することができる。
さらに、被吸着部材３９を、左右方向Ｘにおけるリセプタクルコネクタ１の重心位置Ｇの近傍に配置していることにより、吸着部材９０で被吸着部材付きリセプタクルコネクタ３５を吸着して持ち上げているときに、この被吸着部材付きリセプタクルコネクタ３５が斜めに傾くことを防止でき、この被吸着部材付きリセプタクルコネクタ３５を、安定した姿勢で移動することができる。
【００８２】
以上の次第で、被吸着部材付きリセプタクルコネクタ３５の被吸着部材として好適な被吸着部材３９を実現できる。また、配線基板２上に実装されたリセプタクルコネクタ１から取り外された被吸着部材３９を、配線基板２上に実装される前の別のリセプタクルコネクタ１に装着することにより、被吸着部材３９を再利用することができる。しかも、側壁上端係合部１６と底部係合部２２とが形成されたリセプタクルコネクタ１に対しては、左右方向Ｘに並んでいるコンタクト６の数に拘らず、共通の被吸着部材３９を用いることができるので、被吸着部材３９の汎用性を高くでき、かつ、廃棄物を少なくすることができる。
【００８３】
また、被吸着部材付きリセプタクルコネクタ３５のリセプタクルコネクタとして好適なリセプタクルコネクタ１を実現できる。さらに、ハウジング５に側壁上端係合部１６と底部係合部２２とを形成しておけば、左右方向Ｘに並ぶコンタクトの数に拘らず、共通の被吸着部材３９を用いて被吸着部材付きリセプタクルコネクタ３５を形成できる。したがって、左右方向Ｘに並ぶコンタクト６の数に応じて被吸着部材３９の設計を変更する必要がない。
【００８４】
以上、この発明の一実施形態について説明したが、この発明は他の形態でも実施することができる。たとえば、図８に示すように、被吸着部材３９の一対の垂下部４７，４８を全体として凸部６０とし、第１側壁１１の窪み１７をこの凸部６０に嵌合する凹部として設けてもよい。この場合、凸部６０は、被吸着部材３９の所定部としての本体部４０に形成された凸部からなる被吸着部材側係合部（本体下端係合部）を構成する。また、窪み１７は、第１側壁１１に形成されて左右方向Ｘと交差する下方向に延びる凹部からなるハウジング側係合部（側壁上端係合部）を構成する。左右方向Ｘにおいて、窪み１７の長さは、凸部６０の長さと比べて僅かに大きくされており、この窪み１７への凸部６０の嵌合が許容されている。
【００８５】
また、リセプタクルコネクタとして、図９（ａ）〜図９（ｃ）に示すリセプタクルコネクタ１Ａを用いてもよい。
なお、以下では、図１〜図７を用いて説明した実施の形態と異なる点について主に説明し、同様の構成については図に同様の符号を付してその詳細な説明は省略する。
リセプタクルコネクタ１Ａは、リセプタクルコネクタ１と比べて、主に以下の点が異なっている。すなわち、（ｉ）コンタクト６の数が少なくされている点と、（ｉｉ）第１側壁１１Ａ、第２側壁１２Ａおよびロック空間２０Ａが、左右方向Ｘにおいて短くされている点と、（ｉｉｉ）ロック空間２０Ａに配置されている係合爪部２１が１つとされ、左右方向Ｘにおいて、一対の底部係合部２２間に係合爪部２１が配置されている点が、主に異なっている。
【００８６】
リセプタクルコネクタ１Ａは、コンタクト６が左右方向Ｘに４つ並んだものであり、コンタクト６の数が２列×４＝８とされている。
ロック空間２０Ａの左右方向Ｘの長さは、被吸着部材３９の第１壁部４１の左右方向Ｘの長さよりも僅かに長くされている。
係合爪部２１は、第１側壁１１Ａの凹陥部１９Ａにおいて、左右方向Ｘの略中央に配置されている。
【００８７】
被吸着部材３９がリセプタクルコネクタ１Ａに取り付けられたとき、被吸着部材３９の第１壁部４１の内側面５６の逃げ凹部５０に、係合爪部２１が収容される。このとき、被吸着部材３９と、係合爪部２１とは当接しない。
この実施形態によれば、第１壁部４１をロック空間２０Ａ内に配置することで、第１壁部４１がロック空間２０Ａから突出しないようにでき、被吸着部材付きリセプタクルコネクタ３５Ａをより小型にできる。また、第１壁部４１に逃げ凹部５０を設けていることにより、第１壁部４１に係合爪部２１を収容できるので、ロック空間２０Ａを小型にでき、被吸着部材付きリセプタクルコネクタ３５Ａをより小型にできる。換言すれば、ロック空間２０Ａを大きくすることなく、電線付きコネクタ３とのロック構造および被吸着部材３９の左右方向相対移動規制構造を設けることができる。
【００８８】
また、リセプタクルコネクタ１に用いられる被吸着部材３９をそのままリセプタクルコネクタ１Ａに用いることができ、被吸着部材３９の汎用性をより高くでき、廃棄物の量を抑制できる。
また、図１０に示すリセプタクルコネクタ１Ｂに被吸着部材３９を適用してもよい。この場合、リセプタクルコネクタ１Ｂは、リセプタクルコネクタ１（図４参照）と比べて、コンタクト６の数がより多く（たとえば、２列×２０＝４０）されており、第１側壁１１Ｂおよび第２側壁１２Ｂが左右方向Ｘにより長く形成されている。
【００８９】
この場合も、リセプタクルコネクタ１に用いられる被吸着部材３９をそのままリセプタクルコネクタ１Ｂに用いることができ、被吸着部材３９の汎用性をより高くできる。
また、被吸着部材３９に代えて、図１１（ａ）および図１１（ｂ）に示す被吸着部材３９Ｃを用いてもよい。被吸着部材３９Ｃが被吸着部材３９と異なっているのは、第１壁部４１の下端部と第２壁部４２Ｃの下端部の位置とが上下方向Ｚにおいて異なっている点である。
【００９０】
この実施形態では、第２壁部４２Ｃは、本体部４０からの下方向への長さが相対的に短くされており、第１壁部４１は、本体部４０からの下方向への長さが相対的に長くされている。
被吸着部材３９Ｃをリセプタクルコネクタ１に装着する場合において、第１および第２壁部４１，４２Ｃ間に第１側壁１１を差し込むときには、これら第１および第２壁部４１，４２Ｃのうち、下方に長く延びる第１壁部４１を第１側壁１１に先に沿わせ、その後、第２壁部４２Ｃを第１側壁１１に沿わせる。
【００９１】
したがって、第１壁部４１を挿入案内部材として用いて、第１および第２壁部４１，４２Ｃ間に第１側壁１１を差し込むことができ、この差し込み作業を容易に行うことができる。
また、第１壁部４１に対して第２壁部４２Ｃが短くされているので、たとえば、金型を用いて被吸着部材３９Ｃを形成する際の金型の形状を簡素にでき、被吸着部材３９Ｃの製造が容易である。
【００９２】
さらに、第１側壁１１の内側面５２に沿わされた第２壁部４２Ｃの下端部の位置が、第１側壁１１の外側面１８の後側部１９ａに沿わされた第１壁部４１の下端部の位置よりも上方にあるようにされている。このように、第２壁部４２Ｃを上下方向Ｚに短くすることで折れ難くでき、リセプタクルコネクタ１のハウジング５内に第２壁部４２Ｃの折れた破片が混入することを抑制できる。
【００９３】
また、吸着部材３９に代えて、図１２（ａ）および図１２（ｂ）に示す被吸着部材３９Ｄを用いてもよい。被吸着部材３９Ｄは、本体部４０Ｄと、第１壁部４１Ｄと、第２壁部４２Ｄと、第３壁部４３Ｄとを備えている。
この被吸着部材３９Ｄが被吸着部材３９（図４、図５参照）と異なっているのは、主に、第１壁部４１Ｄおよび第３壁部４３Ｄが一対の押圧部として設けられ、これら第１壁部４１Ｄおよび第３壁部４３Ｄが、第１および第２側壁１１，１２の外側面１８，５４を内側（受け入れ空間９側）に押圧する点にある。
【００９４】
第１壁部４１Ｄは、第１壁部４１と同様の構成を有しているが、一対の押圧部の一方としての機能と、第１側壁１１の外側面１８のうちの後側部１９ａに沿って延びる外壁部としての機能とを兼ねている。
第２壁部４２Ｄは、第２壁部４２と同様の構成を有しているが、第１側壁１１の内側面５２を外側に押圧することにより、第１壁部４１Ｄを第１側壁１１の外側面１８側により強く押圧させ、第１壁部４１Ｄと第１側壁１１との摩擦係合力を高める壁部としての機能を有している。つまり、第１および第２壁部４１Ｄ，４２Ｄによって第１側壁１１を挟持する構造により、被吸着部材３９Ｄとリセプタクルコネクタ１との摩擦整合力が高められている。
【００９５】
第３壁部４３Ｄは、第２側壁１２の外側面５４側に配置された１つの弾性片部であり、一対の押圧部の他方を構成しており、第２側壁１２を前後方向Ｙに沿って押圧する。
第３壁部４３Ｄの先端部には、第２側壁１２に係合するための押圧凸部４３ａＤが突出形成されている。この押圧凸部４３ａＤは、第２側壁１２側に向けて膨出しており、第２側壁１２の外側面５４を内側面側５３側（前側）に押圧している。
【００９６】
このように、一対の押圧部としての第１および第３壁部４１Ｄ，４３Ｄが、第１および第２側壁１１，１２の外側面１８，５４を、内側へ向けて（前後方向Ｙに沿って）押圧している。これにより、第１および第３壁部４１Ｄ，４３Ｄは、第１および第２側壁１１，１２に対して、上下方向Ｚに同行移動可能な状態で摩擦係合している。
被吸着部材３９Ｄをリセプタクルコネクタ１に取り付ける際には、被吸着部材３９Ｄをリセプタクルコネクタ１の上方からリセプタクルコネクタ１側に移動させることで、第１壁部４１Ｄの内側面５６が第１側壁１１の後側部１９ａに面接触してこの後側部１９ａを内側に押圧するとともに、第３壁部４３Ｄの押圧凸部４３ａＤが、第２側壁１２の外側面５４を内側に押圧する。
【００９７】
これにより、第１壁部４１Ｄおよび第３壁部４３Ｄは、第１および第２側壁１１，１２を前後方向Ｙの外側から押圧して挟持し、これら第１および第２側壁１１，１２と摩擦係合する。また、第２壁部４２Ｄは、受け入れ空間９内に配置され、その押圧凸部４２ａＤが第１側壁１１の内側面５２を外側に押圧することで、第１壁部４１Ｄを第１側壁１１により強く押圧する。
【００９８】
このように、被吸着部材３９Ｄの第１および第３壁部４１Ｄ，４３Ｄがリセプタクルコネクタ１の第１および第２側壁１１，１２を外側面１８，５４側から内側に押圧することで、被吸着部材３９Ｄとリセプタクルコネクタ１とが上下方向Ｚに同行移動可能となる。
被吸着部材３９Ｄをリセプタクルコネクタ１から取り外すときには、被吸着部材３９Ｄの本体部４０Ｄを作業者の手指やロボットアームなどにより把持して上方に持ち上げる。これにより、第１壁部４１Ｄの内側面５６および第３壁部４３Ｄの押圧凸部４３ａＤは、第１および第２側壁１１，１２の対応する外側面１８，５４に対して摺動しつつ上方へ移動する。また、第２壁部４２Ｄの押圧凸部４２ａＤは、第１側壁１１の内側面５２に対して摺動しつつ、上方へ移動される。これにより、被吸着部材３９Ｄは、リセプタクルコネクタ１から取り外される。
【００９９】
リセプタクルコネクタ１から引き抜かれた被吸着部材３９Ｄは、回収されて、再び単品のリセプタクルコネクタ１に装着され、被吸着部材付きリセプタクルコネクタとして、キャリアテープ本体のケース部に収容されて再利用される。
以上のように、被吸着部材３９Ｄを用いる実施形態によれば、第１および第３壁部４１Ｄ，４３Ｄが第１および第２側壁１１，１２の対応する外側面１８，５４を対応する内側面５２，５３側に押圧することとなり、第１および第３壁部４１Ｄ，４３Ｄと第１および第２側壁１１，１２との間で十分な摩擦係合力を発生することができる。また、外壁部としての第１壁部４１Ｄが一方の押圧部としての機能を兼ねることにより、上記外壁部と、上記一方の押圧部とを別々に形成する必要がない。
【０１００】
また、第２壁部４２Ｄを、第１壁部４１Ｄと第１側壁１１との摩擦係合力を高めるための壁部として用いることにより、第１壁部４１Ｄと第１側壁１１との摩擦係合力をより高めることができる。
また、被吸着部材３９Ｄに代えて、図１３（ａ）および図１３（ｂ）に示す被吸着部材３９Ｅを用いてもよい。被吸着部材３９Ｅが被吸着部材３９Ｄと異なっている点は、主に、（ｉ）第１壁部４１Ｄの下端部の位置と第２壁部４２Ｅの下端部の位置とが上下方向Ｚにおいて異なっている点と、（ｉｉ）第３壁部４３Ｄと協働して第２側壁１２を挟持するための第４壁部６１が設けられている点である。
【０１０１】
この実施形態では、第２壁部４２Ｅは、本体部４０Ｄからの下方向への長さが相対的に短くされており、第１壁部４１Ｄは、本体部４０Ｄからの下方向への長さが相対的に長くされている。
第４壁部６１は、第２側壁１２を挟んで第３壁部４３Ｄと前後方向Ｙに対向する小片部分であり、本体部４０Ｄから下方に延設されている。第４壁部６１は、本体部４０Ｄからの下方向への長さが相対的に短くされており、第３壁部４３Ｄは、本体部４０Ｄからの下方向への長さが相対的に長くされている。
【０１０２】
被吸着部材３９Ｅをリセプタクルコネクタ１に装着する場合において、第１および第２壁部４１Ｄ，４２Ｅ間に第１側壁１１を差し込むときには、これら第１および第２壁部４１Ｄ，４２Ｅのうち、下方に長く延びる第１壁部４１Ｄを第１側壁１１に先に沿わせ、その後、第２壁部４２Ｅを第１側壁１１に沿わせる。
したがって、第１壁部４１Ｄを挿入案内部材として用いて、第１および第２壁部４１Ｄ，４２Ｅ間に第１側壁１１を差し込むことができ、この差し込み作業を容易に行うことができる。
【０１０３】
同様に、第３および第４壁部４３Ｄ，６１間に第２側壁１２が差し込まれるが、これら第３および第４壁部４３Ｄ，６１のうち、下方に長く延びる第３壁部４３Ｄを第２側壁１２に先に沿わせ、その後、第４壁部６１を第２側壁１２に沿わせる。
したがって、第３壁部４３Ｄを挿入案内部材として用いて、第３および第４壁部４３Ｄ，６１間に第２側壁１２を差し込むことができ、この差し込み作業を容易に行うことができる。
【０１０４】
また、第１壁部４１に対して第２壁部４２Ｅが短くされているので、たとえば、金型を用いて被吸着部材３９Ｅを形成する際の金型の形状を簡素にでき、被吸着部材３９ＥＣの製造が容易である。
同様に、第３壁部４３Ｄに対して第４壁部６１が短くされているので、たとえば、金型を用いて被吸着部材３９Ｅを形成する際の金型の形状を簡素にでき、被吸着部材３９Ｅの製造が容易である。
【０１０５】
さらに、第１側壁１１の内側面５２に沿わされた第２壁部４２Ｅの下端部の位置が、第１側壁１１の外側面１８の後側部１９ａに沿わされた第１壁部４１Ｄの下端部の位置よりも上方にあるようにされている。このように、第２壁部４２Ｅを上下方向Ｚに短くすることで折れ難くでき、ハウジング５内に第２壁部４２Ｅの折れた破片が混入することを抑制できる。
【０１０６】
同様に、第２側壁１２の内側面５３に沿わされた第４壁部６１の下端部の位置が、第２側壁１２の外側面５４に沿わされた第３壁部４３Ｄの下端部の位置よりも上方にあるようにされている。このように、第４壁部６１を上下方向Ｚに短くすることで折れ難くでき、ハウジング５内に第４壁部６１の折れた破片が混入することを抑制できる。
なお、各上記実施形態において、側壁上端係合部１６および本体下端係合部４６は、上下方向Ｚに限らず、左右方向Ｘに交差する他の方向（たとえば前後方向Ｙ）に延びていてもよい。同様に、窪み１７および凸部６０は、上下方向Ｚに限らず、左右方向Ｘに交差する他の方向（たとえば前後方向Ｙ）に延びていてもよい。同様に、底部係合部２２および外壁下端係合部５１は、上下方向Ｚに限らず、左右方向Ｘに交差する他の方向（たとえば前後方向Ｙ）に延びていてもよい。
【０１０７】
また、凹部からなる底部係合部２２と凸部からなる外壁下端係合部５１とを設ける構成としたが、これら凸部と凹部の配置を入れ換えることにより、凸部からなる底部係合部と凹部からなる外壁下端係合部とを設けてもよい。
また、側壁上端係合部１６および本体下端係合部４６を含む凹凸係合部と、底部係合部２２および外壁下端係合部５１を含む凹凸係合部のうちの何れか一方を省いてもよい。
【０１０８】
さらに、各上記実施形態では、表示装置に用いられる表示パネルとして、液晶表示パネルを例にとったが、液晶表示パネルだけでなく、プラズマディスプレイパネルやＥＬ表示パネルなどのフラットディスプレイパネルを用いた表示装置に対しても、この発明を同様に適用することができる。
また、表示装置だけでなく、リセプタクルコネクタを実装した配線基板を筐体内に収容した構成の電子・電気機器においても、上述のような被吸着部材付きリセプタクルコネクタを適用することができる。
【０１０９】
その他、特許請求の範囲に記載された事項の範囲で種々の設計変更を施すことが可能である。
【図面の簡単な説明】
【０１１０】
【図１】この発明の一実施形態に係る被吸着部材付きリセプタクルコネクタに適用されるリセプタクルコネクタ、このリセプタクルコネクタに結合される配線基板および電線付きコネクタの構成を示す図解的な斜視図である。
【図２】図１のＩＩ−ＩＩ線に沿う断面図である。
【図３】リセプタクルコネクタと電線付きコネクタとが結合された状態を示す断面図である。
【図４】リセプタクルコネクタと、リセプタクルコネクタのハウジングに対して着脱可能な被吸着部材とを示す斜視図である。
【図５】（ａ）は、被吸着部材の平面図であり、（ｂ）は、被吸着部材の正面図であり、（ｃ）は、被吸着部材の右側面図であり、（ｄ）は、図５（ａ）のｄ−ｄ線に沿う断面図および吸着部材の側面図である。
【図６】（ａ）は、被吸着部材がリセプタクルコネクタに装着された状態を示す要部の正面図であり、（ｂ）は、図６（ａ）のｂ−ｂ線に沿う断面図であり、（ｃ）は、図６（ｂ）のｃ−ｃ線に沿う断面図であり、（ｄ）は、図６（ａ）のｄ−ｄ線に沿う断面図である。
【図７】被吸着部材付きリセプタクルコネクタの自動実装機による実装を説明するための断面図である。
【図８】他の被吸着部材の要部の断面図である。
【図９】（ａ）は、被吸着部材および他のリセプタクルコネクタの斜視図であり、（ｂ）は、これらの被吸着部材およびリセプタクルコネクタを互いに組み付けた状態の斜視図であり、（ｃ）は、図９（ｂ）のｃ−ｃ線に沿う断面図である。
【図１０】被吸着部材およびさらに他のリセプタクルコネクタを互いに組み付けた状態の斜視図である。
【図１１】（ａ）は、他の被吸着部材の断面図であり、（ｂ）は、この被吸着部材およびリセプタクルコネクタを互いに組み付けた状態の断面図である。
【図１２】（ａ）は、他の被吸着部材およびリセプタクルコネクタの斜視図であり、（ｂ）は、これらの被吸着部材およびリセプタクルコネクタを互いに組み付けた状態の断面図である。
【図１３】（ａ）は、他の被吸着部材の断面図であり、（ｂ）は、この被吸着部材およびリセプタクルコネクタを互いに組み付けた状態の断面図である。
【符号の説明】
【０１１１】
１、１Ａ、１Ｂ  リセプタクルコネクタ
３  電線付きコネクタ（相手方コネクタ）
５  ハウジング
６  コンタクト
１１、１１Ａ、１２Ｂ  第１側壁
１２、１２Ａ、１２Ｂ  第２側壁
１６  側壁上端係合部（凸部からなるハウジング側係合部）
１７  窪み（凹部からなるハウジング側係合部、側壁上端係合部）
１８  （第１側壁の）外側面
２０、２０Ａ  ロック空間
２１  係合爪部
２２  底部係合部（凹部からなるハウジング側係合部）
３２ｂ  ロック爪
３５、３５Ａ  被吸着部材付きリセプタクルコネクタ
３９，３９Ｃ，３９Ｄ，３９Ｅ  被吸着部材
４０，４０Ｄ  本体部（被吸着部材の所定部）
４１  第１壁部（被吸着部材の所定部、外壁部、壁部）
４１Ｄ  第１壁部（被吸着部材の所定部、一対の押圧部の一方、外壁部）
４２，４２Ｃ  第２壁部（一対の押圧部の一方）
４２Ｄ，４２Ｅ  第２壁部（壁部）
４３、４３Ｄ  第３壁部（一対の押圧部の他方）
４４  被吸着面
４６  本体下端係合部（凹部からなる被吸着部材側係合部）
５０  逃げ凹部
５１  外壁下端係合部（凸部からなる被吸着部材側係合部）
５２  （第１側壁の）内側面
５３  （第２側壁の）内側面
５４  （第２側壁の）外側面
６０  凸部（凸部からなる被吸着部材側係合部、本体下端係合部）
９０  吸着部材
Ｇ  重心位置
Ｐ  ピッチ
Ｘ  左右方向
Ｙ  前後方向
Ｚ  上下方向（左右方向と交差する方向）
【図１】
0005204516.tif 000002
【図２】
0005204516.tif 000003
【図３】
0005204516.tif 000004
【図４】
0005204516.tif 000005
【図５】
0005204516.tif 000006
【図６】
0005204516.tif 000007
【図７】
0005204516.tif 000008
【図８】
0005204516.tif 000009
【図９】
0005204516.tif 000010
【図１０】
0005204516.tif 000011
【図１１】
0005204516.tif 000012
【図１２】
0005204516.tif 000013
【図１３】
0005204516.tif 000014